(57)【要約】【課題】訪問先において取得した画像データ等の鑑賞用データを用いて旅行用アルバムを作成するに際し、鑑賞用データが取得されなかったことに起因するデータの抜けを防止する。【解決手段】フォトバンク３のアルバム作成手段３５において旅行アルバムを作成する。アルバムテンプレートＴ０の画像データの付与位置には、旅行中の訪問先に応じた画像データの取得時間が関連付けられている。画像データの入力を受けると、画像データに付与された撮影時間を参照し、付与位置に付与すべき対応画像データがあるか否かを判定する。判定が否定されると予め用意されたデフォルト画像データＤＳ０をその付与位置に付与してアルバムデータＡＬを作成する。【選択図】          図１
2004221647.tif 000002
【特許請求の範囲】
【請求項１】
訪問先で取得された、取得時間を表す時間情報が付与された少なくとも１つの鑑賞用データを、該鑑賞用データに対応する付与位置を取得時間に関連付けてレイアウトしたアルバムテンプレートに付与してアルバムデータを生成する旅行アルバム作成方法において、
全ての前記付与位置について、該各付与位置に関連付けられた取得時間に対応する時間情報が付与された前記鑑賞用データがあるか否かを判定し、
該判定が肯定された場合には、その鑑賞用データを対応する前記付与位置に付与し、
該判定が否定された場合には、予め用意されたデフォルト鑑賞用データを対応する前記付与位置に付与することを特徴とする旅行アルバム作成方法。
【請求項２】
前記鑑賞用データが画像データである場合において、前記各付与位置に付与する前記鑑賞用データが複数ある場合には、該各付与位置に関連付けられた所定の被写体が含まれた前記鑑賞用データを前記各付与位置に付与することを特徴とする請求項１記載の旅行アルバム作成方法。
【請求項３】
前記アルバムデータを記録媒体に記録することを特徴とする請求項１または２記載の旅行アルバム作成方法。
【請求項４】
前記鑑賞用データが静止画像を表す静止画像データである場合、前記アルバムデータをプリント出力することを特徴とする請求項１または２記載の旅行アルバム作成方法。
【請求項５】
訪問先で取得された、取得時間を表す時間情報が付与された少なくとも１つの鑑賞用データを、該鑑賞用データに対応する付与位置を取得時間に関連付けてレイアウトしたアルバムテンプレートに付与してアルバムデータを生成する旅行アルバム作成装置において、
予め用意された、前記各付与位置に付与する少なくとも１つのデフォルト鑑賞用データを記憶した記憶手段と、
全ての前記付与位置について、該各付与位置に関連付けられた取得時間に対応する時間情報が付与された前記鑑賞用データがあるか否かを判定し、該判定が肯定された場合には、その鑑賞用データを対応する前記付与位置に付与し、該判定が否定された場合には、前記デフォルト鑑賞用データを対応する前記付与位置に付与するアルバム作成手段とを備えたことを特徴とする旅行アルバム作成装置。
【請求項６】
前記アルバム作成手段は、前記鑑賞用データが画像データである場合において、前記各付与位置に付与する前記鑑賞用データが複数ある場合には、該各付与位置に関連付けられた所定の被写体が含まれた前記鑑賞用データを前記各付与位置に付与する手段であることを特徴とする請求項５記載の旅行アルバム作成装置。
【請求項７】
前記アルバムデータを記録媒体に記録する記録媒体記録手段をさらに備えたことを特徴とする請求項５または６記載の旅行アルバム作成装置。
【請求項８】
前記鑑賞用データが静止画像を表す静止画像データである場合に、前記アルバムデータをプリント出力するプリント出力手段をさらに備えたことを特徴とする請求項５または６記載の旅行アルバム作成装置。
【請求項９】
訪問先で取得された、取得時間を表す時間情報が付与された少なくとも１つの鑑賞用データを、該鑑賞用データに対応する付与位置を取得時間に関連付けてレイアウトしたアルバムテンプレートに付与してアルバムデータを生成する旅行アルバム作成方法をコンピュータに実行させるためのプログラムにおいて、
全ての前記付与位置について、該各付与位置に関連付けられた取得時間に対応する時間情報が付与された前記鑑賞用データがあるか否かを判定する手順と、
該判定が肯定された場合には、その鑑賞用データを対応する前記付与位置に付与する手順と、
該判定が否定された場合には、予め用意されたデフォルト鑑賞用データを対応する前記付与位置に付与する手順とを有するプログラム。
【請求項１０】
前記鑑賞用データが画像データである場合において、前記判定が肯定された場合に前記鑑賞用データを前記付与位置に付与する手順は、前記各付与位置に付与する前記鑑賞用データが複数ある場合には、該各付与位置に関連付けられた所定の被写体が含まれた前記鑑賞用データを前記各付与位置に付与する手順である請求項９記載のプログラム。
【請求項１１】
前記アルバムデータを記録媒体に記録する手順をさらに有する請求項９または１０記載のプログラム。
【請求項１２】
前記鑑賞用データが静止画像を表す静止画像データである場合、前記アルバムデータをプリント出力する手順をさらに有する請求項９または１０記載のプログラム。
【発明の詳細な説明】
【０００１】
【発明の属する技術分野】
本発明は、旅行中に取得した、静止画像や動画像を表す画像データおよび音声データ等の鑑賞用データをレイアウトしたアルバムを作成する旅行アルバム作成方法および装置並びに旅行アルバム作成方法をコンピュータに実行させるためのプログラムに関するものである。
【０００２】
【従来の技術】
旅行アルバムを作成する場合には、訪問先で撮影した写真を現像後、地図、イラスト、説明等と組み合わせてプリント出力している。一方、デジタルカメラにより取得したデジタルの画像データ、あるいは銀塩フイルムに記録された画像をスキャナにより読み取ることにより取得したデジタルの画像データを用いてアルバムを作成することも行われている。例えば、タグ情報に撮影時間が記述された画像データと、地図、地図上の座標、到着時間および出発時間により構成されたレイアウトデータベースとを整合させて、レイアウトデータベースから選択されたレイアウト上に、地図および画像データを付与するようにしたシステムが提案されている（特許文献１参照）。このシステムによれば、写真の取り違える等のミスを無くすとともに、旅行アルバムを簡易に作成することができる。
【０００３】
【特許文献１】
特開平１０−１２６７３１号公報
【０００４】
【発明が解決しようとする課題】
しかしながら、上記特許文献１に記載されたシステムにおいて、画像データを付与すべき付与位置に対応する画像データが存在しない場合がある。例えば、訪問先の天候が悪かったり、基本的に撮影禁止の場所である場合には、その訪問先についての画像データが存在しないこととなる。また、うっかり撮影を忘れてしまった場合にも、その訪問先についての画像データは存在しないこととなる。このような場合においては、作成されたアルバムに画像の抜けが生じてしまい、その結果、アルバムが未完成のままユーザに渡されることとなってしまう。
【０００５】
本発明は上記事情に鑑みなされたものであり、旅行アルバムにおける画像等のデータの抜けを防止することを目的とする。
【０００６】
【課題を解決するための手段】
本発明による旅行アルバム作成方法は、訪問先で取得された、取得時間を表す時間情報が付与された少なくとも１つの鑑賞用データを、該鑑賞用データに対応する付与位置を取得時間に関連付けてレイアウトしたアルバムテンプレートに付与してアルバムデータを生成する旅行アルバム作成方法において、
全ての前記付与位置について、該各付与位置に関連付けられた取得時間に対応する時間情報が付与された前記鑑賞用データがあるか否かを判定し、
該判定が肯定された場合には、その鑑賞用データを対応する前記付与位置に付与し、
該判定が否定された場合には、予め用意されたデフォルト鑑賞用データを対応する前記付与位置に付与することを特徴とするものである。
【０００７】
「鑑賞用データ」としては、静止画像または動画像を表す画像データ、撮影時に録音した音声データ等が挙げられる。
【０００８】
なお、本発明による旅行アルバム作成方法においては、前記鑑賞用データが画像データである場合において、前記各付与位置に付与する前記鑑賞用データが複数ある場合には、該各付与位置に関連付けられた所定の被写体が含まれた前記鑑賞用データを前記各付与位置に付与するようにしてもよい。
【０００９】
「所定の被写体」とは、例えば人物、特定の建造物、海、山、空等、その付与位置に関連付けられた取得時間において取得されるべき画像に含まれるはずの被写体をいう。
【００１０】
また、本発明による旅行アルバム作成方法においては、前記アルバムデータを記録媒体に記録してもよい。
【００１１】
「記録媒体」とは、フロッピー（登録商標）ディスク、ＣＤ−Ｒ、ＤＶＤ−ＲＭＯ等、磁気的または光学的に鑑賞用データを記録可能なあらゆる媒体を含む。
【００１２】
また、本発明による旅行アルバム作成方法においては、前記鑑賞用データが静止画像を表す静止画像データである場合、前記アルバムデータをプリント出力してもよい。
【００１３】
本発明による旅行アルバム作成装置は、訪問先で取得された、取得時間を表す時間情報が付与された少なくとも１つの鑑賞用データを、該鑑賞用データに対応する付与位置を取得時間に関連付けてレイアウトしたアルバムテンプレートに付与してアルバムデータを生成する旅行アルバム作成装置において、
予め用意された、前記各付与位置に付与するデフォルト鑑賞用データを記憶した記憶手段と、
全ての前記付与位置について、該各付与位置に関連付けられた取得時間に対応する時間情報が付与された前記鑑賞用データがあるか否かを判定し、該判定が肯定された場合には、その鑑賞用データを対応する前記付与位置に付与し、該判定が否定された場合には、前記デフォルト鑑賞用データを対応する前記付与位置に付与するアルバム作成手段とを備えたことを特徴とするものである。
【００１４】
なお、本発明による旅行アルバム作成装置においては、前記アルバム作成手段を、前記鑑賞用データが画像データである場合において、前記各付与位置に付与する前記鑑賞用データが複数ある場合には、該各付与位置に関連付けられた所定の被写体が含まれた前記鑑賞用データを前記各付与位置に付与する手段としてもよい。
【００１５】
また、本発明による旅行アルバム作成装置においては、前記アルバムデータを記録媒体に記録する記録媒体記録手段をさらに備えるものとしてもよい。
【００１６】
また、本発明による旅行アルバム作成装置においては、前記鑑賞用データが静止画像を表す静止画像データである場合に、前記アルバムデータをプリント出力するプリント出力手段をさらに備えるものとしてもよい。
【００１７】
なお、本発明による旅行アルバム作成方法をコンピュータに実行させるためのプログラムとして提供してもよい。
【００１８】
【発明の効果】
本発明によれば、アルバムデータを生成するに際し、鑑賞用データを付与する全ての付与位置について、各付与位置に関連付けられた取得時間に対応する時間情報が付与された鑑賞用データがあるか否かが判定され、この判定が否定された場合には、予め用意されたデフォルト鑑賞用データがその否定された付与位置に付与される。このため、訪問先において天候が悪い、撮影し忘れた、あるいは撮影が禁止されていた等の理由により、アルバムの付与位置に関連付けられた取得時間に対応する時間情報が付与された鑑賞用データがない場合であっても、アルバムデータにおける画像の抜けを防止して、完成されたアルバムデータを生成することができる。
【００１９】
また、鑑賞用データが画像データである場合において、各付与位置に付与する鑑賞用データが複数ある場合に、各付与位置に関連付けられた所定の被写体が含まれる鑑賞用データを各付与位置に付与することにより、所定の被写体を含む画像がレイアウトされたアルバムを得ることができる。
【００２０】
また、アルバムデータを記録媒体に記録すれば、アルバムデータの配布が容易となる。
【００２１】
また、鑑賞用データが静止画像を表す静止画像データである場合、アルバムデータをプリント出力すれば、従来の銀塩写真フイルムから得られたプリントと同様のアルバムを得ることができる。
【００２２】
【発明の実施の形態】
以下図面を参照して本発明の実施形態について説明する。図１は本発明の実施形態による旅行アルバム作成装置を適用した旅行アルバム作成システムの構成を示す概略ブロック図である。図１に示すように、本実施形態による旅行アルバム作成システムは、インターネット等のネットワーク１に接続されたパソコン等の端末装置を有するラボ２と、同様にネットワーク１に接続され、ネットワーク１経由で送信された画像データＳ０の保管およびアルバム作成等を行うフォトバンク３との間で、データのやり取りを行うものである。
【００２３】
具体的には、旅行会社が主催したツアーに参加したユーザが、ツアー中にデジタルカメラを用いて撮影した画像についてのアルバムを作成すべく、画像データＳ０が記憶されたメモリカード等のメディアＭ０をラボ２に渡すことにより、ラボ２に対してアルバム作成の依頼を行い、ラボ２からフォトバンク３に画像データＳ０をアップロードし、フォトバンク３において画像データＳ０を用いてアルバムを表すアルバムデータＡＬを作成するようにしたものである。
【００２４】
なお、デジタルカメラにおいて取得された画像データＳ０にはそのタグ情報に撮影時間が記述されている。
【００２５】
ここで、メディアＭ０をラボ２に渡す際には、ユーザが参加しているツアーのツアーコードＴＣがラボ２に通知される。ラボ２からは画像データＳ０とともにツアーコードＴＣを表す情報もフォトバンク３に送信される。
【００２６】
なお、フォトバンク３には、後述するようにアルバムの作成を依頼したユーザが自身が有するパソコン等の端末装置４からネットワーク１経由でアクセスすることも可能である。
【００２７】
図２はフォトバンク３の構成を示す概略ブロック図である。図２に示すようにフォトバンク３は、ネットワーク１経由で送信された画像データＳ０、アルバムデータの作成に必要なアルバムテンプレートＴ０、および後述するデフォルト画像を表すデフォルト画像データＤＳ０等、種々のデータや情報を保管する大容量ハードディスクやＲＡＩＤからなる保管手段３１と、種々の表示を行うモニタ３２と、キーボードおよびマウスからなる入力手段３３と、ネットワーク１に接続されてデータの送受信を行う通信インターフェース３４と、送信された画像データＳ０をアルバムテンプレートＴ０に付与することによりアルバムデータＡＬを作成するアルバム作成手段３５と、アルバムデータＡＬをＣＤ−ＲやＤＶＤ−Ｒ等のメディアＭ１に記録するメディアドライブ３６と、アルバムデータＡＬをプリント出力するプリンタ３７とがバス３９によって接続されて構成されている。
【００２８】
アルバム作成手段３５は、ラボ２から送信されたツアーコードＴＣに基づいて、旅行会社が管理する旅行会社データベースサーバ５にアクセスし、旅行会社データベースサーバ５に保管されているツアーコードＴＣに対応するツアースケジュールＴＳおよびツアーコードＴＣに対応するアルバムテンプレートＴ０を入手する。なお、ツアーコードＴＣに対応するツアースケジュールＴＳおよびアルバムテンプレートＴ０が既に入手されて保管手段３１に保管されている場合には、保管手段３１に保管されたツアースケジュールＴＳおよびアルバムテンプレートＴ０を使用する。
【００２９】
図３はツアースケジュールＴＳの例を示す図である。図３に示すように、ツアースケジュールＴＳには、ツアー中の日付およびその日付に対応する日に訪問した場所および訪問時間が含まれている。例えば、６月４日から６月１１日までのパリへのツアーにおいて、６月６日は、エッフェル塔に１０時、著名な三つ星レストランでの昼食が１３時、そしてルーブル美術館に１６時、というように、日にちおよび訪問場所への訪問時間が含まれている。
【００３０】
図４はアルバムテンプレートＴ０の例を示す図である。図４に示すように、このアルバムテンプレートＴ０には、パリへのツアーの６月６日に対応する画像についてアルバムを作成するためのものであり、エッフェル塔、三つ星レストランおよびルーブル美術館のそれぞれに対応する対応画像データＣＳ０を挿入する画像挿入領域Ｒ１〜Ｒ３を有し、各画像挿入領域Ｒ１〜Ｒ３の側方にはそれぞれエッフェル塔、三つ星レストランおよびルーブル美術館のガイド文が記載されている。
【００３１】
アルバム作成手段３５においては、ラボ２から送信された画像データＳ０のタグ情報に記述された撮影日時に基づいて、ラボ２から送信された画像データＳ０からエッフェル塔、三つ星レストランおよびルーブル美術館のそれぞれへの訪問時間に対応する対応画像データＣＳ０を選択し、選択された３つの対応画像データＣＳ０をそれぞれエッフェル塔、三つ星レストランおよびルーブル美術館に対応する画像挿入領域Ｒ１〜Ｒ３に挿入する。
【００３２】
具体的には、ツアースケジュールに記載の訪問時刻の前後１時間以内に撮影された画像データＳ０を画像挿入領域Ｒ１〜Ｒ３に挿入する対応画像データＣＳ０として選択する。
【００３３】
なお、画像挿入領域Ｒ１〜Ｒ３のそれぞれに対応する対応画像データＣＳ０が複数ある場合には、例えば撮影時間が最も早い対応画像データＣＳ０を画像挿入領域Ｒ１〜Ｒ３に挿入すればよい。また、人物が含まれている画像を表す対応画像データＣＳ０や、エッフェル塔のように特定の構造物が含まれている画像を表す対応画像データＣＳ０や、モナリザの微笑みのように特定の絵画を含む画像を表す対応画像データＣＳ０を、画像挿入領域Ｒ１〜Ｒ３に挿入してもよい。
【００３４】
ここで、ツアー中に天候が悪かった、撮影をし損ねた、あるいは撮影が禁止されていた等の理由により、ラボ２から送信された画像データＳ０の中に、アルバムテンプレートＴ０の画像挿入領域Ｒ１〜Ｒ３に挿入される撮影時間に撮影された対応画像データＣＳ０がない場合がある。このような場合、アルバム作成手段３５は、保管手段３１に保管されたデフォルト画像データＤＳ０から、画像挿入領域Ｒ１〜Ｒ３に挿入する画像データを選択してアルバムデータＡＬを作成する。なお、デフォルト画像データＤＳ０は、アルバムテンプレートＴ０の各画像挿入領域Ｒ１〜Ｒ３に挿入するものが、各画像挿入領域Ｒ１〜Ｒ３に対応付けられて保管手段３１に保管されている。
【００３５】
このように、ラボ２から送信された画像データＳ０の中に、アルバムテンプレートＴ０の画像挿入領域Ｒ１〜Ｒ３に挿入される撮影時間に撮影された対応画像データＣＳ０がない場合、画像挿入領域Ｒ１〜Ｒ３に対応付けられたデフォルト画像データＤＳ０を対応する画像挿入領域Ｒ１〜Ｒ３に挿入することにより、アルバムデータＡＬにおける画像の欠落を防止することができる。
【００３６】
次いで、本実施形態の動作について説明する。図５は、本実施形態において行われる処理を示すフローチャートである。なお、本実施形態においては、ツアーの申し込み時において、ツアーに参加するユーザがアルバム作成サービスの存在を知り、旅行代理店にアルバム作成サービスを申し込んだものとする。この場合、ツアーの開始時に、画像データＳ０を記録したメディアＭ０を収容するメディアパッケージがユーザに渡され、ユーザはこのメディアパッケージにメディアＭ０を入れて、ツアー終了時に添乗員にメディアＭ０を渡すものとする。なお、メディアＭ０を添乗員に渡す際には、ユーザは、端末装置４からフォトバンク３にアクセスする際に必要なＵＲＬ、ＩＤおよびパスワードが記録されたフォトバンク会員証が、メディアＭ０と引き替えにユーザに渡されるものとする。そして、添乗員はユーザから渡されたメディアＭ０をラボ２に渡してアルバムの作成を依頼するものとする。また、ラボ２からは画像データＳ０およびアルバム作成依頼のための注文情報がフォトバンク３に送信されているものとする。
【００３７】
まず、アルバム作成手段３５において、新たなアルバム作成の依頼があったか否かが監視されており（ステップＳ１）、ステップＳ１が肯定されると、ツアーコードＴＣが保管手段３１から読み出され（ステップＳ２）、ツアーコードＴＣに対応するツアースケジュールＴＳおよびアルバムテンプレートＴ０が入手される（ステップＳ３）。そして、アルバムテンプレートＴ０の全ての画像挿入領域のうちの最初の画像挿入領域について、ラボ２から送信された画像データＳ０の中に対応する撮影時間がタグ情報に記載された対応画像データＣＳ０があるか否かが判定される（ステップＳ４）。ステップＳ４が肯定されると、画像データＳ０から対応画像データＣＳ０が選択され（ステップＳ５）、さらに、選択された対応画像データＣＳ０が複数ある否かが判定される（ステップＳ６）。ステップＳ６が肯定されると複数の対応画像データＣＳ０から１の対応画像データＣＳ０が選択され（ステップＳ７）、選択された対応画像データＣＳ０が対応する画像挿入領域に挿入される（ステップＳ８）。一方、ステップＳ６が否定されると、ステップＳ８に進む。
【００３８】
また、ステップＳ４が否定されると、その画像挿入領域に対応するデフォルト画像データＤＳ０が保管手段３１から読み出され（ステップＳ９）、読み出されたデフォルト画像データＤＳ０が対応する画像挿入領域に挿入される（ステップＳ１０）。
【００３９】
続いて、全ての画像挿入領域に対応画像データＣＳ０またはデフォルト画像データＤＳ０が挿入されたか否かが判定され（ステップＳ１１）、ステップＳ１１が肯定されると、アルバムデータＡＬが保管手段３１に保管され（ステップＳ１２）、処理を終了する。一方、ステップＳ１１が否定されると、次の画像挿入領域に処理の対象が変更され（ステップＳ１３）、ステップＳ４に戻る。
【００４０】
ツアーに参加したユーザは、端末装置４からフォトバンク３にアクセスし、作成されたアルバムデータＡＬを参照することができる。そして、必要があれば、挿入する画像データＳ０の変更や、説明文の修正等を行い、アルバムの注文を行う。この際、アルバムデータＡＬのメディアＭ１への記録およびプリント出力のいずれか一方または両方の指示が行われる。これにより、アルバムデータＡＬを記録したメディアＭ１および／またはアルバムのプリントがユーザに配送される。
【００４１】
このように、本実施形態においては、アルバムデータＡＬを生成するに際し、アルバムテンプレートＴ０の画像挿入領域Ｒ１〜Ｒ３に挿入する対応画像データＣＳ０がない場合には、予め用意されたデフォルト画像データＤＳ０を対応する付与位置に付与するようにしたため、訪問先において天候が悪い、撮影し忘れた、あるいは撮影が禁止されていた等の理由により、アルバムテンプレートＴ０の画像挿入領域Ｒ１〜Ｒ３に挿入すべき対応画像データＣＳ０がない場合であっても、アルバムデータＡＬにより表されるアルバムにおける画像の抜けを防止して、完成されたアルバムデータＡＬを生成することができる。
【００４２】
なお、上記実施形態においては、静止画像を表す画像データＳ０からアルバムデータＡＬを生成しているが、デジタルビデオカメラにより取得した動画像を表す画像データや、デジタルカメラにおいて撮影時に録音した音声を表す音声データを用いてアルバムデータＡＬを生成してもよい。この場合、アルバムデータＡＬをプリント出力できないため、アルバムデータＡＬはメディアＭ１に記録されてユーザに渡される。また、動画像データの付与位置に関連付けられた取得時間に対応する動画像データがない場合には、デフォルトの動画像データがその付与位置に付与される。
【００４３】
また、上記実施形態においては、デジタルカメラにより取得された画像データＳ０からアルバムデータＡＬを生成しているが、訪問先において撮影を行うことにより画像が記録されたネガフイルムを得、これから画像を読み取ることにより得られた画像データを用いてアルバムデータＡＬを生成してもよい。この場合、ツアーに参加したユーザは、撮影済みのフイルムを添乗員に渡し、添乗員がラボ２に撮影済みのフイルムを渡すことにより、ラボ２においてフイルムの現像および画像の読み取りが行われて、これにより得られた画像データがフォトバンク３に送信され、フォトバンク３においてアルバムデータＡＬが生成されることとなる。
【００４４】
また、上記実施形態においては、ツアー終了後にアルバムデータＡＬを生成しているが、例えば最後の搭乗地において画像データＳ０が記録されたメディアＭ０や撮影済みのフイルムを回収し、搭乗地にあるラボ２から画像データＳ０をフォトバンク３に送信し、帰国時にアルバムデータＡＬが記録されたメディアＭ１やプリント出力されたアルバムをユーザに渡すようにしてもよい。
【００４５】
なお、上記実施形態において、ユーザのデジタルカメラの時計が狂っていたり、ユーザが偶然他の場所に行ってしまった場合には、アルバムテンプレートＴ０の画像挿入領域Ｒ１〜Ｒ３に、全く関係のない画像が挿入されてしまう。このため、デジタルカメラをＧＰＳ衛星からのＧＰＳ情報（緯度および経度）を受信する機能を有するものとして画像データＳ０のタグ情報にＧＰＳ情報を記述し、さらにアルバムテンプレートＴ０の画像挿入領域Ｒ１〜Ｒ３に訪問場所の緯度および経度を関連付けておくことが好ましい。
【００４６】
この場合、まず画像データＳ０の撮影時間を参照して画像挿入領域Ｒ１〜Ｒ３のそれぞれに対応する対応画像データＣＳ０の候補を求め、対応画像データＣＳ０の候補のタグ情報に付与されたＧＰＳ情報により表される緯度および経度並びに訪問場所の緯度および経度から対応画像データＣＳ０の候補を撮影した撮影場所と訪問場所との距離を算出し、その距離を所定のしきい値と比較する。そして、算出された距離が所定のしきい値未満の場合には、対応画像データＣＳ０の候補をその訪問場所において撮影したものとみなして、対応画像データＣＳ０の候補を対応画像データＣＳ０として対応する画像挿入領域Ｒ１〜Ｒ３に挿入する。逆に、算出された距離が所定のしきい値よりも大きい場合には、本来の訪問場所から離れた位置において撮影したものとして、対応画像データＣＳ０の候補を画像挿入領域Ｒ１〜Ｒ３には挿入せず、デフォルト画像データＤＳ０を対応する画像挿入領域Ｒ１〜Ｒ３に挿入する。
【００４７】
なお、画像挿入領域Ｒ１〜Ｒ３のそれぞれに対応する対応画像データＣＳ０が複数ある場合には、上記と同様に複数の対応画像データＣＳ０のそれぞれについて撮影場所と訪問場所との距離を算出し、算出された距離が最も小さい１つの対応画像データＣＳ０を対応する画像挿入領域Ｒ１〜Ｒ３に挿入してもよい。
【００４８】
ここで、しきい値は訪問場所の規模や画像挿入領域Ｒ１〜Ｒ３に挿入すべき画像の内容に応じて設定する。例えば、サファリパークに関する画像を画像挿入領域Ｒ１〜Ｒ３に挿入する場合には、しきい値を数キロメートル単位で設定してもよいが、ライオンの檻の前の画像を画像挿入領域Ｒ１〜Ｒ３に挿入する場合には数メートル単位で設定する。
【図面の簡単な説明】
【図１】本発明の実施形態による旅行アルバム作成システムの構成を示す概略ブロック図
【図２】フォトバンクの構成を示す概略ブロック図
【図３】スケジュールの例を示す図
【図４】アルバムテンプレートの例を示す図
【図５】本実施形態において行われる処理を示すフローチャート
【符号の説明】
１    ネットワーク
２    ラボ
３    フォトバンク
４    端末装置
５    旅行会社データベースサーバ
【図１】
2004221647.tif 000003
【図２】
2004221647.tif 000004
【図３】
2004221647.tif 000005
【図４】
2004221647.tif 000006
【図５】
2004221647.tif 000007